(57)【要約】      （修正有）【課題】構成部品が少なく、簡単に分解・組立・施行が可能で、安全で安価な簡易防煙垂壁を提供する。【解決手段】火災時に発生する煙の拡散を防止する垂壁本体を、天井に設けた天井バーの溝部に装着して吊り下げ固定する防煙垂壁の構造であって、底部が開口した溝形天井バー１を天井部Ａに取り付け、且つ、該溝形天井バー１の開口部Ｘに、溝形天井バー１開口部の横内幅寸法αよりも幅の狭い横幅寸法α'を有する小フレーム２に、適宜な縦・横寸法を有する不燃性シート材３の上端部を巻き込んで挿入し、溝形天井バー１に不燃性シート材３を小フレーム２で固着してなる。【選択図】図１
0003173619.tif 000002
【実用新案登録請求の範囲】
【請求項１】
火災時に発生する煙の拡散を防止する垂壁本体を、天井に設けた天井バーの溝部に装着して吊り下げ固定する防煙垂壁の構造であって、底部が開口した溝形天井バー（１）を天井部（Ａ）に取り付け、且つ、該溝形天井バー（１）の開口部（Ｘ）に、溝形天井バー（１）開口部の横内幅寸法（α）よりも幅の狭い横幅寸法（α'）を有する小フレーム（２）に、適宜な縦・横寸法を有する不燃性シート材（３）の上端部を巻き込んで挿入し、溝形天井バー（１）に不燃性シート材（３）を小フレーム（２）で固着してなることを特徴とする簡易防煙垂壁。
【請求項２】
小フレーム（２）の高さ寸法（β'）は、溝形天井バー（１）の開口部（Ｘ）の縦寸法（β）よりも短い寸法であることを特徴とする請求項１記載の簡易防煙垂壁。
【請求項３】
不燃性シート材（３）が、グラスファイバー製のシート材であることを特徴とする請求項１記載の簡易防煙垂壁。
【考案の詳細な説明】
【技術分野】
【０００１】
この考案は、簡易防煙垂壁に関し、特に、防煙垂壁は、火災時に発生する煙の拡散を防止する垂壁本体を、極めて軽量な部材を天井に設けた天井バーの溝部に装着して吊り下げ固定する簡易防煙垂壁に関するものである。
【背景技術】
【０００２】
従来、防煙垂壁は、天井に設ける天井パネルを載置支持する天井バーに、適宜な厚みを有するガラスを吊り下げる構造のものであり、火災発生時には、部屋の天井に昇った煙はこの防煙垂壁によって、横方向への移動が規制され、人々の救助の一助となるものであった。
【０００３】
しかし、この防煙垂壁は、地震発生時には、ガラスが落下し、下を通行中の人に怪我をさせるものであり、ガラスが落下しない構造の防煙垂壁の早期開発が求められている。
【先行技術文献】
【特許文献】
【０００４】
これまでに出願されている防煙垂壁の特許文献を、参考の為、紹介する（特許文献１〜２参照）。
【特許文献１】実公昭５３−２８９６号広報
【特許文献２】実公昭５３−７５４３号広報
【０００５】
しかし、これら従来の仕切防煙垂壁の構造は、構成部品が多く、従って、施工作業も煩雑であった。この原因は、垂壁の接合部に、バー本体より吊り下げボルトを吊り下げ、その末端にガラス受けを設け、接合部のガラスの垂壁材を受けており、又、段差式のガラスの垂壁材の場合にも、その作業が煩雑と成っていた。
【考案の開示】
【考案が解決しようとする課題】
【０００６】
そこで、上記課題を解決する為に、この考案は構成部品が少なく、簡単に分解・組立施工が出来、且つ、安全で安価な簡易防煙垂壁を開発・提供する事にある。
【課題を解決するための手段】
【０００７】
この課題を解決するための手段として、底部が開口した溝形天井バーを天井部に取り付け、且つ、該溝形天井バーの開口部に、溝形天井バー開口部の横内幅寸法よりも幅の狭い横幅寸法を有する小フレームに、適宜な縦・横寸法を有する不燃性シート材の上端部を巻き込んで挿入し、溝形天井バーに不燃性シート材を小フレームで固着してなることを特徴とするものである。
【０００８】
又、小フレームの高さ寸法は、溝形天井バーの開口部の縦寸法よりも短い寸法であることを特徴とするものである。
【０００９】
又、不燃性シート材が、グラスファイバー製のシート材である。
【考案の効果】
【００１０】
この考案の効果として、底部が開口した溝形天井バーを天井部に取り付け、且つ、該溝形天井バーの開口部に、溝形天井バー開口部の横内幅寸法よりも幅の狭い横幅寸法を有する小フレームに、適宜な縦・横寸法を有する不燃性シート材の上端部を巻き込んで挿入し、溝形天井バーに不燃性シート材を小フレームで固着してなり、又、小フレームの高さ寸法は、溝形天井バーの開口部の縦寸法よりも短い寸法であることを特徴とし、又、不燃性シート材が、グラスファイバー製のシート材であることを特徴とする事で、構成部品を最小限に減少出来、且つ、簡単に分解・組立施工が出来、且つ、安全性・作業性・経済性に優れる等、極めて有益なる効果を奏するものである。又、天井バー（１）の側面にビス等で固着することがない為、見た目に美麗に仕上げる等の効果も奏する。
【図面の簡単な説明】
【００１１】
【図１】この考案の一実施例を示す簡易防煙垂壁の断面図である。
【図２】この考案の一実施例を示す簡易防煙垂壁の斜視図である。
【図３】この考案の他の実施例を示す簡易防煙垂壁の断面図である。
【図４】この考案の更に他の実施例を示す円柱状素材を使用して不燃性シート材を固着して設けた簡易防煙垂壁の断面図である。
【考案を実施するための形態】
【００１２】
この考案を実施するための形態として、火災時に発生する煙の拡散を防止する垂壁本体を、天井に設けた天井バーの溝部に装着して吊り下げ固定する防煙垂壁の構造であって、底部が開口した溝形天井バー（１）を天井部（Ａ）に取り付け、且つ、該溝形天井バー（１）の開口部（Ｘ）に、溝形天井バー（１）開口部の横内幅寸法（α）よりも幅の狭い横幅寸法（α'）を有する小フレーム（２）に、適宜な縦・横寸法を有する不燃性シート材（３）の上端部を巻き込んで挿入し、溝形天井バー（１）に不燃性シート材（３）を、小フレーム（２）で固着してなることを特徴とする簡易防煙垂壁から構成される。
【００１３】
又、小フレーム（２）の高さ寸法（β'）は、溝形天井バー（１）の開口部（Ｘ）の縦寸法（β）よりも短い寸法であることを特徴とする簡易防煙垂壁から構成される。尚、小フレーム（２）は、図１及び図２では、断面コ字状の長尺材を示したが、図３に示すように、コ字状の小フレーム（２）は、不燃性シート材（３）を巻き込んで溝形天井バーと逆向きにひっくり返した状態で挿着し、ビス止めしても構わない。そして、更に、上記コ字状の小フレーム（２）の代用品として、図４に示すように、やや軟質の円柱状素材（２'）でも良く、該素材で不燃性シート材（３）を巻き込んで、溝形天井バー（１）に挿入後、天井方向に向けて圧着し、カシメ止めしても良い。
【００１４】
又、不燃性シート材（３）が、グラスファイバー製のシート材であり、不燃性シート材（３）の固着手段は、ビス止め、カシメ、或いは、接着剤を用いて止める等のあらゆる手段を含むものである。
【実施例１】
【００１５】
そこで、この考案の一実施例を図１〜図２に基づいて詳述すると、本考案は一方側の溝形天井バー（１）本体と、他方側の小フレーム（２）と、前記溝形天井バー本体と小フレーム間に巻き付けて固着する不燃性シート材（３）から成り、且つ、一方側の溝形天井バー（１）本体の形状は、図１に示すように、門型形状に形成され、且つ、該バー本体（１）の上面中央部にはタッピングスクリュウ等の係止部材（Ｂ）を係止する為の係止穴（１ａ）が、それぞれ複数箇所設けられている。
【００１６】
又、他方側の小フレーム（２）の形状は、前記溝形天井バー（１）本体と同様の門型形状に形成され、且つ、溝形天井バーの横幅外寸法は、溝形天井バー（１）開口部の横内幅寸法より、やや狭い横幅寸法（α'）を有している。
【００１７】
又、前記溝形天井バー（１）本体溝部と小フレーム（２）間に巻き付け固定する不燃性シート材（３）は、用途や状況に応じた適宜な寸法を有し、且つ、シート材の材質がグラスファイバー製のシートである。
【００１８】
続いて、この考案である簡易防煙垂壁の取り付け要領について説明すると、図１に示すように、最初に溝形天井バー（１）の上面中央部に複数設けた係止穴（１ａ）部にタッピングスクリュウ等の係止部材（Ｂ）をそれぞれ挿通して、天井部（Ａ）に取り付け、且つ、該溝形天井バー（１）の開口部（Ｘ）に、溝形天井バー（１）開口部の横内幅寸法（α）よりも幅の狭い横幅寸法（α'）を有する小フレーム（２）に、適宜な縦・横寸法を有する不燃性シート材（３）の上端部を巻き込んで挿入し、溝形天井バー（１）にグラスファイバー製の不燃性シート材（３）を固定するものである。
【産業上の利用可能性】
【００１９】
この考案の簡易防煙垂壁は、構成部品が少なく、簡単に分解・組立施工が出来、且つ、安全で安価なため、製造・販売することで、多くの関係市場に寄与する点で、産業上の利用可能性を有する。
【符号の説明】
【００２０】
１  溝形天井バー
１ａ  係止穴
２  小フレーム
２'  円柱状素材
３  不燃性シート材
Ａ  天井部
Ｂ  タッピングスクリュウ等の係止部材
Ｘ  開口部
α  横幅寸法（溝形天井バー）
α'  横幅寸法（小フレーム）
β  縦寸法
β'  高さ寸法
【図１】
0003173619.tif 000003
【図２】
0003173619.tif 000004
【図３】
0003173619.tif 000005
【図４】
0003173619.tif 000006